(57)【特許請求の範囲】
【請求項１】
開口端を有し、内部に棒状喫煙物品のインナパックが収容される箱であって、この箱の長手方向に沿って延びる少なくとも１つの角縁に前記箱の横断面でみて円弧形状をなす縦縁を含み、この縦縁の円弧形状が前記縦縁の内面にのみに形成され且つ前記箱の長手方向に沿って延びる複数の縦溝によってもたらされている、箱と、
前記箱にヒンジを介して接続され、前記開口端を開閉する蓋と、
前記箱の内面に設けられ、前記縦縁の円弧形状を維持すべく前記複数の縦溝を横断する少なくとも１つの補強パッチと
備え、
前記補強パッチは、前記箱の内面に塗布され、前記縦溝内に入り込む糊により形成されていることを特徴とする棒状喫煙物品のパッケージ。
【請求項２】
前記補強パッチは、前記箱の前記開口端の近傍に位置付けられていることを特徴とする請求項１に記載の棒状喫煙物品のパッケージ。
【請求項３】
前記箱の外面全域を覆う装飾層を更に含むことを特徴とする請求項１又は２に記載の棒状喫煙物品のパッケージ。
【請求項４】
前記箱の長手方向に延びる４の角縁は全て前記円弧形状の縦縁に形成されていることを特徴とする請求項１〜３の何れかに記載の棒状喫煙物品のパッケージ。
【請求項５】
前記蓋は、前記箱の前記縦縁に対応した４つの縦縁を含み、これら縦縁は前記蓋の横断面でみて円弧形状を有することを特徴とする請求項４に記載の棒状喫煙物品のパッケージ。
【請求項６】
前記箱の底壁及び前記蓋の上壁は、前記箱の長手方向と直交する２つずつの横縁を含み、これら横縁は前記箱及び前記蓋の縦断面でみて円弧形状をなしていることを特徴とする請求項５に記載の棒状喫煙物品のパッケージ。
【請求項７】
前記箱は、箱本体と、この箱本体に備えられ、前記箱の前記開口端を形成するインナフレームとを含み、
前記インナフレームは前記インナパックを囲むＵ字形状をなし、前記箱の前壁側に位置付けられた２つの角縁を有することを特徴とする請求項１〜６の何れかに記載の棒状喫煙物品のパッケージ。
【請求項８】
前記インナフレームの２つの角縁は前記箱の前記縦縁と同様な円弧形状に形成されていることを特徴とする請求項７に記載の棒状喫煙物品のパッケージ。
【請求項９】
前記インナフレームは、前記蓋の後壁側に位置付けられた２つの側縁を有し、これら側縁は前記箱の前記縦縁と同様な円弧形状に形成されていることを特徴とする請求項８に記載の棒状喫煙物品のパッケージ。
【請求項１０】
前記インナフレームは、少なくとも外面に装飾層を含むことを特徴とする請求項７〜９の何れかに記載の棒状喫煙物品のパッケージ。
【発明の詳細な説明】
【技術分野】
【０００１】
本発明は、シガレットやフィルタシガレット等の棒状喫煙物品のパッケージに関する。
【背景技術】
【０００２】
この種のパッケージは一般的にヒンジリッドパッケージと称されており、このヒンジリッドパッケージはその全体が直方体形状をなし、その長手方向に延びる４つの角縁を有する。このようなパッケージ内にはインナパックが収容されており、このインナパックは通常、俵積み状態にある２０本の棒状喫煙物品から形成された束と、この束を包み込む内包紙とを含む。それ故、インナパックは、棒状喫煙物品の長手方向に沿う４つの縁を有し、これら縁の外形は丸みを帯びている。【０００３】
このため、パッケージ内にインナパックが収容されたとき、インナパックの丸み縁とパッケージの対応する角縁との間には無駄な隙間が生じるばかりでなく、パッケージはその角縁のために把持し辛い形状となっている。【０００４】
このため、特許文献１に開示されたパッケージは４つの角縁が円弧形状の縦縁としてそれぞれ形成されており、一方、このようなパッケージの製造機及び製造方法は例えば、特許文献２に開示されている。
【特許文献１】特公平4-62937号公報
【特許文献２】特公平7-88070号公報
【発明の開示】
【発明が解決しようとする課題】
【０００５】
特許文献１は、パッケージの角縁を円弧形状の縦縁に形成する方法に関して明瞭に開示していないが、特許文献２には円弧形状の縦縁を形成する手段及び方法が開示されている。即ち、特許文献２によれば、各円弧縦縁は、パッケージのためのブランクに互いに平行な折込み線、具体的には圧痕線を形成することにより形成される。このような圧痕線は、パッケージの外側から視認可能であるため、パッケージの外観を損なう。
【０００６】
また、上述した円弧縦縁の形成には圧痕線に沿う折込みに加えて、これら圧痕線間の領域を円弧状に曲げるためのプロセスが更に要求される。それ故、通常の包装機は、特許文献２のパッケージを成形することができない。【０００７】
本発明の目的は、美観を損なうことのない円弧形状の縦縁を備え、通常の包装機を使用して成形することができ、しかも、その強度を十分に確保することができる棒状喫煙物品のパッケージを提供することにある。
【課題を解決するための手段】
【０００８】
上述の目的を達成するため、本発明の棒状喫煙物品のパッケージは、開口端を有し、内部に棒状喫煙物品のインナパックが収容される箱であって、この箱の長手方向に沿って延びる少なくとも１つの角縁に箱の横断面でみて円弧形状をなす縦縁を含み、この縦縁の円弧形状が縦縁の内面にのみに形成され且つ箱の長手方向に沿って延びる複数の縦溝によってもたらされている、箱と、この箱にヒンジを介して接続され、開口端を開閉する蓋と、箱の内面に設けられ、縦縁の円弧形状を維持すべく前記複数の縦溝を横断する少なくとも１つの補強パッチとを備え、この補強パッチは、箱の内面に塗布され、前記縦溝内に入り込む糊によって形成されている。
【０００９】
上述のパッケージによれば、縦縁を円弧形状に形成する複数の縦溝は箱の内面のみに設けられているので、縦溝が箱の外面に露出することはない。また、縦溝は円弧形状をなす縦縁の内面の円弧長とその外面の円弧長との間に発生する差を吸収し、縦縁に円滑な外面を提供する。更に、縦溝は縦縁の強度を低下されるが、この強度低下は補強パッチにより補償され、縦縁はその円弧形状を維持する。
【００１０】
具体的には、補強パッチは、箱の開口端の近傍に位置付けられているのが好ましい。また、補強パッチは、箱の内面に塗布された流動性を有する糊により形成され、塗布された糊は縦溝内に入り込んだ状態で固化し、補強パッチを形成する。
【００１１】
更に、パッケージは、箱の外面全域を覆う装飾層を含むことができ、この装飾層はアルミニウム又は合成樹脂から形成される。このような装飾層は、縦溝の存在に起因した縦縁の厚みを補い、縦縁、即ち、箱の強度を増加させる。
【００１２】
箱はその長手方向に延びる４の角縁の全てに円弧形状の縦縁を有することができる。更に、蓋は、箱の縦縁に対応した４つの縦縁を含み、これら縦縁もまた蓋の横断面でみて円弧形状に形成可能である。【００１３】
更に、箱の底壁及び蓋の上壁は、箱の長手方向と直交する２つずつの横縁を含んでおり、これら横縁もまた箱及び蓋の縦断面でみて円弧形状に形成可能である。【００１４】
箱は、箱本体と、この箱本体に備えられ、箱の開口端を形成するインナフレームとを含み、このインナフレームは前述したインナパックを囲むＵ字形状をなし、箱の前壁側に位置付けられた２つの角縁を有する。この場合、インナフレームの２つの角縁は箱の縦縁と同様な円弧形状に形成可能である。【００１５】
更に、インナフレームは、箱の後壁側に位置付けられた２つの側縁を有し、これら側縁もまた箱の縦縁と同様な円弧形状に形成可能である。この場合、インナフレームは、箱内にて、棒状物品のインナパックを抱え込むように保持する。【００１６】
インナフレームは、少なくとも外面に装飾層を含むことができ、この装飾層は前述した箱の装飾層と同一の材料により形成されているのが好ましい。
【発明の効果】
【００１９】
上述したパッケージは、その長手方向に沿う角縁の少なくとも１つに円弧形状の縦縁を有しているので、独特な外観を呈する。また、縦縁の外面は実質的に平滑であるから、パッケージは美観にも優れる。更に、パッケージの箱には縦縁のための補強パッチが備えられているので、箱における開口端の形状は安定して維持される。この結果、蓋の円滑な開閉操作が可能となる。
【００２０】
なお、本発明の他の利点は、添付図面及び後述する発明の最良の実施形態から明らかになる。
【図面の簡単な説明】
【００２１】
【図１】第１実施例のパッケージの閉状態を示した斜視図である。
【図２】図１のパッケージの開状態で示した斜視図である。
【図３】図１，２のパッケージの横断面図である。
【図４】図１，２のパッケージにおける箱本体及び蓋を成形するためのブランクを示した図である。
【図５】図４のブランクの縦折込み線を拡大して示した断面図である。
【図６】縦折込み線での折込みにより形成された円弧形状の縦縁を示す断面図である。
【図７】図２のインナフレームを成形するためのブランクを示した図である。
【図８】第２実施例のパッケージの閉状態を示した斜視図である。
【図９】図８のパッケージにおける箱本体及び蓋を成形するためのブランクを示した図である。
【発明を実施するための最良の形態】
【００２２】
図１の第１実施例のヒンジリッドパッケージは直方体形状をなし、開封テープを有したフィルム包材により覆われている。なお、図１中、フィルム包材は省略されている。パッケージは箱２を備え、この箱２はその上端に開口を有する。箱２の開口端にはその後縁にセルフヒンジ４を介して蓋６が接続されており、この蓋６はセルフヒンジ４の回りに回動し、箱２の開口端を開閉する。【００２３】
より詳しくは、図２に示されているように箱２は箱本体８を含み、この箱本体８はその上端に傾斜した開口を有する。更に、箱２はインナフレーム１０を更に含み、このインナフレーム１０は略Ｕ字形状をなしている。インナフレーム１０は箱本体８内に部分的に差し込まれる一方、箱本体８の開口から突出し且つ箱２の開口端１２を形成する端を有する。
それ故、インナフレーム１０は箱本体８の外側に露出した前壁を有し、この前壁には略Ｕ字形の切欠１４が形成されている。【００２４】
一方、蓋６は箱形状をなし、箱２の開口端部、即ち、インナフレーム１０の突出部に被さるようにして箱２の開口端１２を閉じることができる。即ち、蓋６はその下端に傾斜した開口を有し、蓋６が閉じられたとき、蓋体６及び箱本体８の開口は互いに合致する。【００２５】
図１及び図２から明らかなように、箱本体８はその長手方向に延びる４つの角縁として、円弧縦縁１６をそれぞれ含み、これら円弧縦縁１６は箱本体８の横断面でみて、円弧形状をなす。また、箱本体８の長手方向に沿う蓋６の４つの角縁もまた円弧縦縁１６と同様な円弧縦縁１８に形成されている。蓋６が閉じられたとき、蓋６の円弧縦縁１８は箱本体８の対応する円弧縦縁１６に合致し、これら円弧縦縁１６，１８は同一の線上に配置される。【００２６】
更に、インナフレーム１０は、箱本体８における前壁側の２つの円弧縦縁１６に対応した２つの円弧縦縁２４と、箱本体８における後壁側の２つの円弧縦縁１６に対応した２つの円弧縦縁２６とを有し、これら円弧縦縁２４，２６は箱本体８の円弧縦縁１６と同様な円弧形状をなし、対応する円弧縦縁１６に内側からそれぞれ合致する。【００２７】
それ故、図３に示されているように、箱本体８内のインナパックＩＰはインナフレーム１０に抱え込まれるようにして保持される。インナパックＩＰは、俵積み状態にある２０本のフィルタシガレットの束と、この束を包み込む内包材とを含む。【００２８】
本発明のパッケージを更に特徴付ける構成は、箱本体８及び蓋６を形成するブランクの説明から明らかになり、このブランクはその裏面にて図４に示されている。【００２９】
ブランク２８は縦目厚紙から形成されている。ここで、縦目厚紙とは、厚紙を形成する繊維がブランク２８の長手方向に沿って配列されているものを指す。【００３０】
上述したブランク２８の基本的な構成及び折込み手順は公知であるので、ブランク２８の基本構成に関しては、以下に簡単に説明する。
【００３１】
ブランク２８は大きく分けて、箱本体８を成形するメインセクション３０と、蓋６を成形するサブセクション３２とを含み、これらセクション３０，３２はブランク２８の長手方向に隣接し、前述したセルフヒンジ４を介して互いに接続されている。【００３２】
メインセクション３０はリアパネル３４、ボトムパネル３６及びフロントパネル３８を有し、これらパネル３４，３６，３８はサブセクション３２、即ち、セルフヒンジ４側からブランク２８の長手方向に沿って順次配置されている。ブランク２８の長手方向に隣接するパネル同士は横折込み線を介して接続されており、これら横折込み線はブランク２８の長手方向と直交する方向に延びている。これらパネル３４，３６，３８は、箱本体８の後壁、底壁及び前壁をそれぞれ形成するための部分である。【００３３】
リアパネル３４の両側にはインナサイドフラップ４０が縦折込み線を介してそれぞれ接続されている。縦折込み線はブランク２８の長手方向に沿って延び、各インナサイドフラップ４０は箱本体８における側壁の内側部分を形成するための部分である。また、フロントパネル３８の両側にはアウタサイドフラップ４２が縦折込み線を介してそれぞれ接続されており、これらアウタサイドフラップ４２は前記側壁の外側部分を形成するための部分である。即ち、箱本体８の側壁はインナ及びアウタサイドフラップ４０，４２が互いに重ね合わされることにより成形される。【００３４】
更に、図４でみて、各インナサイドフラップ４０の下端にはインナボトムフラップ４４がそれぞれ横折込み線を介して接続され、これらインナボトムフラップ４４はボトムパネル３６の補強部材として働き、箱本体８の底壁の内側部分を形成するための部分である。【００３５】
一方、サブセクション３２は、リアパネル４６、トップパネル４８、フロントパネル５０及びインナフロントパネル５２を含み、これらパネル４６，４８，５０，５２はリアパネル３４側からブランク２８の長手方向に順次配置されている。ここでも、ブランク２８の長手方向に隣接するパネル同士は横折込み線を介して互いに接続されている。リアパネル４６、トップパネル４８及びフロントパネル５０は蓋６の後壁、上壁及び前壁をそれぞれ形成するための部分であり、インナフロントパネル５２はフロントパネル５０の補強部材として働き、蓋６の前壁の内側部分を形成するための部分である。【００３６】
リアパネル４６の両側にはインナサイドフラップ５４が縦折込み線を介してそれぞれ接続されており、フロントパネル５０の両側にはアウトサイドフラップ５６が縦折込み線を介してそれぞれ接続されている。図４でみて同一側に配置されたインナ及びアウタサイドフラップ５４，５６は互いに重ね合わされることにより、蓋６の側壁を形成するための部分である。【００３７】
更に、図４でみて、インナサイドフラップ５４の上縁にはインナトップフラップ５８が横折込み線を介してそれぞれ接続され、これらインナトップフラップ５８はトップパネル４８の補強部材として働き、蓋６における上壁の内側部分を形成するための部分である。
【００３８】
通常、前述した横折込み線及び縦折込み線は圧痕線によって形成されるが、しかしながら、前述した円弧縦縁１６，１８を形成するための縦折込み線、即ち、折込み帯域１６ａ，１８ａは圧痕線に代えて、複数の縦溝からそれぞれ形成されている。【００３９】
これら縦溝はブランク２８の幅方向に沿う折込み帯域の幅Ｗ内にて互いに平行に延びており、図５は、折込み帯域１６ａを形成する縦溝６０の断面を誇張して示している。これら縦溝６０は例えば、ブランク２８の長手方向、つまり、縦目厚紙における繊維の配列方向に沿い切込みを形成することにより形成され、折込み帯域に含まれる縦溝６０の本数は５〜８本が望ましい。【００４０】
図５から明らかなように縦溝６０はブランク２８の厚みを減少させ、折込み帯域１６ａ，１８ａの柔軟性を増加させる。また、縦溝６０は円弧縦縁１６，１８における外面の円弧長とそれらの内面の円弧長との間の差を吸収する。それ故、ブランク２８が折込み帯域１６ａ又は１８ａに沿って折り込まれるとき、これら折込み帯域１６ａ，１８ａでの折込みは容易になる。更に、折込み帯域１６ａ，１８ａを形成する複数の縦溝６０は円弧縦縁１６，１８の外面に露出しないので、これら縦溝６０は円弧縦縁１６，１８に円滑な外面を提供する。【００４１】
上述したように折込み帯域１６ａ，１８ａが柔軟であるので、これら折込み帯域に対する予備的な折込みが不要となる。この結果、ブランク２８の折込みに通常の包装機が使用可能となり、図１，２のパッケージを容易に成形することができる。【００４２】
更に、図５に示されるようにブランク２８の外表面には、例えば、アルミニウム又は樹脂の装飾層６２が形成され、この装飾層６２はブランク２８の外表面全域を覆っている。このような装飾層６２はパッケージの外観を単に装飾するのみならず、縦溝６０の存在に起因して折込み帯域１６ａ，１８ａでのブランク２８における厚みの減少を補償する。即ち、装飾層６２は折込み帯域１６ａ，１８の強度不足を補う補強要素としても機能する。それ故、ブランク２８が折込み帯域１６ａ，１８に沿って折り込まれるとき、円弧縦縁１６又は１８に破断が生じることはない。【００４３】
一方、箱本体８はその内面に少なくとも１個の補強パッチを含むことができる。図４から明らかなように、補強パッチ６４はブランク２８の折込みに先立ち、ブランク２８における裏面の所定位置に付与される。具体的には、補強パッチ６４は、前述した円弧縦縁１６を形成する折込み帯域１６ａのそれぞれに２つずつ付与され、これら補強パッチ６４は折込み帯域１６ａの長手方向に互いに離間し、且つ、折込み帯域１６ａを横断するサイズを有する。【００４４】
好ましくは、各折込み帯域１６ａにそれぞれ付与される２つの補強パッチ６４のうち、その１つの補強パッチ６４は箱本体８の開口を形成する側の折込み帯域１６ａの端部に位置付けられている。【００４５】
具体的には、各補強パッチ６４はブランク２８の折込み直前に、ブランク２８に流動性を有した糊６６を塗布することにより、ブランク２８に付与される。塗布された直後の糊６６はブランク２８の折込みを阻害することはなく、ブランク２８の折込みにより、図６に示されるように縦溝６０内に侵入する。従って、パッケージの製造後、硬化した糊６６から形成された補強パッチ６４は前述した装飾層６２と協働し、円弧縦縁１６に十分な強度を付与する。【００４６】
前述したようにブランク２８が縦目厚紙からなり、しかも、折込み帯域１６ａを形成する複数の縦溝６０が円弧縦縁１６の強度を減少させるとしても、パッケージの成形後、補強パッチ６４は円弧縦縁１６の剛性を増加させる。この結果、成形後のパッケージは縦溝６０の存在に拘わらず、外力に対して変形し難くなる。特に、補強パッチ６４は箱本体８における開口の近傍に位置付けられているので、箱２の開口端１２の変形が抑制され、この結果、蓋６の開閉、特に、蓋６の閉作動が確実且つ円滑になる。
【００４７】
更に、前述した補強パッチ６４、即ち、糊６６は箱本体８とインナフレーム１０との接着にも使用することができ、インナフレーム１０と箱本体８とを接着する接着剤を不要にすることも可能となる。
【００４８】
なお、円弧縦縁１８に補強パッチ６４を付与することは好ましいものではない。何故なら、円弧縦縁１８が円弧縦縁１６に比べて短いので、蓋６は円弧縁１８の存在に拘わらず、十分な強度を有し、補強パッチ６４による補強を必要としない。逆に、円弧縦縁１８に補強パッチ６４が付与されていれば、この補強パッチ６４を形成する糊がインナパックＩＰの内包材に付着してしまう不具合を引き起こす。
【００４９】
図７はインナフレーム１０を形成する紙製のブランク６８を示す。
ブランク６８は、前述した円弧縦縁２４，２６（図２参照）を形成するための折込み帯域２４ａ，２６ａをそれぞれ有し、これら折込み帯域２４ａ，２６ａもまた前述した縦溝６０と同様な複数の縦溝から形成されている。また、ブランク６８もまた、その外表面全域に前述した装飾層と同様な装飾層６２を有することができる。【００５０】
図８及び図９は、第２実施例のパッケージ及びそのブランクをそれぞれ示す。
第２実施例のパッケージは、第１実施例のパッケージとの対比において、箱本体８における底壁の前後の横縁や、蓋６における上壁の前後の横縁もまた円弧横縁２０，２２に形成されている点のみで異なる。これら円弧横縁２０，２２はパッケージの縦断面でみて円弧状をなしている。【００５１】
図８のパッケージは図９に示されているブランク２８を折り込むことにより成形される。図９のブランク２８は、円弧横縁２０，２２を形成するための折込み帯域２０ａ，２２ａを含み、これら折込み帯域２０ａ，２２ａは前述した縦溝６０と同様な複数の溝から形成されており、ここでの溝はブランク２８の長手方向と直交する横方向に延びている。
【００５２】
本発明は、上述した第１〜第４実施例のパッケージ及びブランクに制約されるものではなく、種々の変更が可能である。【００５３】
例えば、本発明のパッケージは円弧縦縁１６，１８の少なくとも一組を備えていればよく、円弧横縁２０，２２は必要不可欠なものではない。また、縦溝６０は図示の断面形状に限らず、種々の断面形状を有することができる。更に、インナフレームは前述した折込み帯域を含まない通常のインナフレームであってよい【００５４】
最後に、本発明はヒンジリッドパッケージに限らず、タングリッドパッケージにも同様に適用可能である。
【図３】
0004822463.tif 000002
【図６】
0004822463.tif 000003
【図１】
0004822463.tif 000004
【図２】
0004822463.tif 000005
【図４】
0004822463.tif 000006
【図５】
0004822463.tif 000007
【図７】
0004822463.tif 000008
【図８】
0004822463.tif 000009
【図９】
0004822463.tif 000010